(57)【要約】【課題】  構造簡単且つ安価で、騒音の発生もなく、見る人に安らぎを与えることができる装飾展示装置を提供する。【解決手段】  支持柱１の下端部１ａに下端３ａが止着されて該支持柱１に沿って上方へ延長された形状記憶合金からなるワイヤ３と、該ワイヤ３の上端３ｂに連結された作動シャフト４と、前記支持柱１の上端部１ｂに支持されて前記作動シャフト４の上下動によって作動させられる運動装飾部材７と、前記ワイヤ３の両端に陽極と陰極の電流を供給及び遮断する電流制御部１１と、前記支持柱１の周囲に設けられた装飾部材２１と、からなり、好ましくは、前記運動装飾部材７が小動物であり、好ましくは、前記支持柱１を前記電流制御部１１を内蔵した装飾基台１２上に起立させてなり、好ましくは、前記支持柱１、作動シャフト４を装飾パイプ８内部に格納して該装飾パイプ８の周囲に前記装飾部材２１を設けてなる。【選択図】  図１
2008230007.tif 000002
【特許請求の範囲】
【請求項１】
支持柱の下端部に下端が止着されて該支持柱に沿って上方へ延長された形状記憶合金からなるワイヤと、該ワイヤの上端に連結された作動シャフトと、前記支持柱の上端部に設けられて前記作動シャフトが挿通されるガイド部材と、前記支持柱の上部に支持されて前記作動シャフトの上下動によって作動させられる運動装飾部材と、前記ワイヤの両端に陽極と陰極の電流を供給及び遮断する電流制御部と、前記支持柱の周囲に設けられた装飾部材と、からなることを特徴とする装飾展示装置。
【請求項２】
前記運動装飾部材が小動物であることを特徴とする請求項１に記載の装飾展示装置。
【請求項３】
前記支持柱を前記電流制御部を内蔵した装飾基台上に起立させたことを特徴とする請求項１又は２に記載の装飾展示装置。
【請求項４】
前記支持柱、ワイヤ及び作動シャフトを装飾パイプの内部に格納し、該装飾パイプの周囲に前記装飾部材を設けたことを特徴とする請求項１、２又は３に記載の装飾展示装置。
【請求項５】
前記作動シャフトと支持柱間に、電流供給時に収縮した前記ワイヤの電流遮断時の伸長を助長するリターンスプリングを設けたことを特徴とする請求項１、２、３又は４に記載の装飾展示装置。
【請求項６】
前記ワイヤの下端と前記支持柱の下端部との間に緩衝用スプリングを設けたことを特徴と請求項１、２、３、４又は５に記載に装飾展示装置。
【発明の詳細な説明】
【技術分野】
【０００１】
本発明は、見る人の心に安らぎを与えることができる運動装飾部材を有する装飾展示装置に関する。
【背景技術】
【０００２】
従来、装飾展示装置として、モータを使用したもの、例えば、間欠駆動するように発振回路を用いたモータ駆動回路とモータを接続し、弾性を有する線材の一端に装飾体を設けたもの（特開２００６−５１７８２号公報）、あるいは形状記憶合金を使用したもの、例えば、張力が与えられると作動する複数の装飾体と、該装飾体にそれぞれ張力を与える形状記憶合金からなるワイヤを使用したもの（特開２００１−２２７４５３号公報）などが提案されている。
【特許文献１】特開２００６−５１７８２号公報
【特許文献１】特開２００１−２２７４５３号公報
【発明の開示】
【発明が解決しようとする課題】
【０００３】
前記従来のモータを使用した装飾展示装置は、構造が複雑になるとともに、モータ及び回転部材等による騒音が発生するなどの問題があった。本発明は、構造簡単且つ安価で、静寂時にも騒音を気にすることがない装飾展示装置を提供することを目的とする。
【０００４】
また、前記形状記憶合金を使用した装飾展示装置は、前記のモータを使用した場合の諸問題を解決するものであるが、複数の装飾体による時刻表示等に使用されるもので、その目的は専ら時刻表示であった。本発明は、構造簡単且つ安価で、騒音の発生がなく、見る人の心に安らぎを与えることができる装飾展示装置を提供することを目的とする。
【課題を解決するための手段】
【０００５】
前記目的達成のために、本発明の装飾展示装置は、支持柱の下端部に下端が止着されて該支柱に沿って上方へ延長された形状記憶合金からなるワイヤと、該ワイヤの上端に連結された作動シャフトと、前記支持柱の上端部に設けられて前記作動シャフトが挿通されるガイド部材と、前記支持柱の上部に支持され前記作動シャフトの上下動によって作動させられる運動装飾部材と、前記ワイヤの両端に陽極と陰極の電流を供給及び遮断する電流制御部と、前記支持柱の周囲に設けられた装飾部材と、からなることを特徴とする（請求項１）。
【０００６】
前記本発明では、前記支持柱の上部に運動装飾部材が支持され、前記支持柱の周囲にはさらに装飾部材が設けられる。一例を挙げれば、草花の茎となる支持柱の上部に草花の花及び運動装飾部材としての蝶が設けられ、前記支持柱の周囲には草花の葉が設けられる。
【０００７】
つぎに、前記形状記憶合金からなるワイヤの両端部に、前記電流制御部から陽極と陰極の電流を供給及び遮断し、これを自動的に繰り返す。その結果、前記電流制御部からの電流供給時には前記ワイヤが加熱されて収縮し、前記電流遮断時には前記ワイヤが常温に戻されて伸長させられて原状に復帰する。
【０００８】
前記ワイヤの伸縮は、前記作動シャフトを介して、前記運動装飾部材の蝶に伝えられ、前記作動シャフトの上下動により、前記蝶の羽根を適宜の速さではばたかせることができるものである。すなわち、草花にとまってはばたく蝶を見る人の心に安らぎを与えることができるものである。
【０００９】
本発明の実施の一形態は、前記可動装飾部材が小動物であることを特徴とする（請求項２）。すなわち、前記蝶の他、小鳥、トンボ、その他の小動物が人の心に安らぎを与えることが多いものである。その他の動物、あるいは人形であってもよい。
【００１０】
本発明の実施の一形態は、前記支持柱を前記電流制御部を内蔵した装飾基台上に起立させたことを特徴とする（請求項３）。この実施の一形態によれば、前記電流制御部及び該電流制御部に付属する電池、制御基板などの設置、取扱いが容易であり、本発明の装置全体をコンパクト且つ体裁よく構成することができる。なお、前記装飾基台の一例は、例えば、植木鉢である。
【００１１】
本発明の実施の一形態は、前記支持柱、ワイヤ及び作動シャフトを装飾パイプの内部に格納し、該装飾パイプの周囲に前記装飾部材を設けたことを特徴とする（請求項４）。この実施の一形態によれば、前記ワイヤ及び作動シャフト等が前記パイプによって保護されて装置の損傷等が防止される。また、前記運動装飾部材の支持も容易である。
【００１２】
本発明の実施の一形態は、前記作動シャフトと支持柱間に、電流供給時に収縮した前記ワイヤの電流遮断時の伸長を助長するリターンスプリングを設けたことを特徴とする（請求項５）。この実施例によれば、前記ワイヤの伸長復帰がスムーズに行われる。
【００１３】
本発明の実施の一形態は、ワイヤの下端と前記支持柱の下端部との間に緩衝用スプリングを介在させたことを特徴とする（請求項６）。この実施の一形態によれば、前記ワイヤの収縮及び伸長時において該ワイヤに必要以上の引張力が加えられることが防止され該ワイヤが保護される。
【発明の効果】
【００１４】
本発明の装飾展示装置によれば、構造簡単且つ安価であり、騒音の発生もなく、見る人の心に安らぎを与える効果が得られる。
【発明を実施するための最良の形態】
【００１５】
以下に、本発明の実施の一形態を図面に基づいて説明する。図１は、全体の縦断面図、図２は、支持柱部の斜視図、図３は、全体斜視図である。
【００１６】
図中、１は、プラスチック等の絶縁材料からなる支持柱であり、該支持柱１の下端部１ａには緩衝用スプリング２を介して、形状記憶合金からなるワイヤ３の下端３ａが止着される。さらに、前記ワイヤ３が前記支持柱１に沿って上方へ延長され、前記ワイヤ３の上端３ｂに作動シャフト４が連結される。
【００１７】
なお、図面実施の一形態では、前記ワイヤ３の上端３ｂに、前記作動シャフト４を直接連結することなく導電板５を介在させている。もっとも、該導電板５は必ずしも介在させる必要はない。さらに、前記支持柱１の上端部１ｂに前記作動シャフト４が挿通されるガイド部材６が設けられる。
【００１８】
つぎに、前記作動シャフト４の上下動によって作動させられる運動装飾部材７（以下「蝶７」という。）が前記支持柱１の上部に支持される。図面実施の一形態では、前記蝶７は、その胴部７ａが前記支持柱１の上端部１ｂと該支持柱１及び前記ワイヤ３を格納した後に述べる装飾パイプ８の上部に支持されている。図中、７ｂは、それぞれ前記蝶７の羽根である。
【００１９】
つぎに、前記蝶７の作動について説明する。図面実施の一形態では、前記蝶７を構成する胴部７ａの内部の左右対称位置に、それぞれ略中央部をピン９ａ、９ｂによって軸止した作動板１０ａ、１０ｂを設け、さらに該作動板１０ａ、１０ｂのそれぞれ内側端を上下動可能に構成している。すなわち、前記作動板１０ａ、１０ｂの内部端に前記作動シャフト４を連結し、前記作動板１０ａ、１０ｂの内部端を上下動可能に構成している。そして、前記それぞれの作動板１０ａ、１０ｂの外側端に前記蝶７の羽根７ｂを連結している。
【００２０】
さらに、前記ワイヤ３の両端に陽極と陰極の電流を供給及び遮断する電流制御部１１が設けられる。図面実施の一形態では、前記電流制御部１１は、前記支持柱１を起立させた装飾基台１２に内蔵されている。具体的には、前記電流制御部１１は、電池１３、制御基板１４、スイッチ１５等からなる。また、前記装飾基台１２は植木鉢を模して構成されている。
【００２１】
なお、前記電池１３にかえて、アダプターを利用したＡＣ電源を使用してもよいし、前記装飾基台１２の一部にソーラーパネルを配置してその発電電流を使用してもよい。図中、１６は、前記制御基板１４と前記ワイヤ３の下端３ａを結ぶ陽極線、１７は前記制御基板１４と前記ワイヤ３の上端３ｂを結ぶ陰極線である。
【００２２】
さらに、図面実施の一形態では、前記作動シャフト４と前記支持柱１間に、電流供給時に収縮した前記ワイヤ３の伸長を助長するリターンスプリング１８が設けられている。もっとも、図面実施の形態では、製造作業の容易性から、前記リターンスプリング１８は、前記ワイヤ３と前記作動シャフト４との間に介在させられた前記導電板５と、該導電板５の上方位置の前記支持柱１との間に設けられている。
【００２３】
図面実施の一形態における前記導電板５には、その適位置に縦長孔１９が形成され、さらに、該縦長孔１９には、前記支持柱１側に設けたストッパー部材２０が係合させられている。すなわち、前記縦長孔１９が、前記ワイヤ３の伸縮ストローク及び前記作動シャフト４の作動ストロークを規制する長さで設けられている。図中、２１は、前記支持柱１あるいは装飾パイプ８の周囲に設けられた装飾部材である。
【００２４】
前記構成の装飾展示装置は、スイッチ１５を入れると、前記ワイヤ３の一端にプラス電流が供給され、他端にマイナス電流が供給される。その結果、前記ワイヤ３が加熱させられて収縮させられる。つぎに前記制御基板１４の働きで前記電流の供給が遮断されると、前記ワイヤ３が常温に戻されて伸長させられて原状に復帰させられる。前記電流の供給及び遮断を自動的に繰り返すことにより、前記作動シャフト４を介して蝶７の羽根７ｂがはばたき作動させられるものであり、見る人の心に安らぎを与えるものである。
【００２５】
本発明に係る前記の装飾展示装置は、一般家庭、オフィス、病院、その他、人の集る場所等に展示して使用される。
【図面の簡単な説明】
【００２６】
【図１】本発明に係る装飾展示装置の縦断面図である。
【図２】支持柱部の斜視図である。
【図３】本発明に係る装飾展示装置の全体斜視図である。
【符号の説明】
【００２７】
１    支持柱
２    緩衝用スプリング
３    ワイヤ
４    作動シャフト
６    ガイド部材
７    可動装飾体
８    装飾パイプ
１１  電流制御部
１８  リターンスプリング
【図１】
2008230007.tif 000003
【図２】
2008230007.tif 000004
【図３】
2008230007.tif 000005